(57)【要約】【解決手段】底部１と、底部の一方の相対する土手部１ａにヒンジ連結された相対する一方の側壁２と、前記土手部より高さの高いもう一方の相対する土手部１ｂにヒンジ連結された相対するもう一方の側壁３とを有する折り畳みコンテナーにおいて、前記高さの高い土手部に、下部嵌合台座部１ｆを形成するとともに、前記下部嵌合台座部には、前記高さの高い土手部にヒンジ連結された側壁の上端フランジに突設された嵌合突片３ｄが嵌合可能な嵌合空間を形成したものである。【効果】箱型に組み立てられた状態の折り畳みコンテナーに、他の折り畳みコンテナーを段積みした際に、上に位置する折り畳みコンテナーの水平移動が抑制され、安定した状態で、折り畳みコンテナーを段積みすることができる。【選択図】図３
2006213383.tif 000002
【特許請求の範囲】
【請求項１】
底部と、底部の一方の相対する土手部にヒンジ連結された相対する一方の側壁と、前記土手部より高さの高いもう一方の相対する土手部にヒンジ連結された相対するもう一方の側壁とを有する折り畳みコンテナーにおいて、前記高さの高い土手部に、下部嵌合台座部を形成するとともに、前記下部嵌合台座部に、前記高さの高い土手部にヒンジ連結された側壁の上端フランジに突設された嵌合突片が嵌合可能な嵌合空間が形成されていることを特徴とする折り畳みコンテナー。
【請求項２】
底部と、底部の一方の相対する土手部にヒンジ連結された相対する一方の側壁と、前記土手部より高さの高いもう一方の相対する土手部にヒンジ連結された相対するもう一方の側壁とを有する折り畳みコンテナーにおいて、前記高さの高い土手部に、下部嵌合台座部を形成するとともに、前記下部嵌合台座部に、前記底部の高さの高い土手部に突設された底部側嵌合突片が嵌合可能な嵌合空間が形成されていることを特徴とする折り畳みコンテナー。
【発明の詳細な説明】
【技術分野】
【０００１】
本発明は、底部と、底部の相対する長辺側土手部にヒンジ連結された相対する長側壁と、底部の相対する短辺側土手部にヒンジ連結された相対する短側壁とから構成された折り畳みコンテナーに関するものである。
【背景技術】
【０００２】
従来、短側壁の上端フランジの上面の両端部及び長側壁の上端フランジの上面の両端部に、所定の間隔を置いて、一対の外側保持突部を、それぞれ形成するとともに、底部の相対する短辺側の裏面及び底部の相対する長辺側の裏面に、所定の間隔を置いて、一対の脚部を、それぞれ形成した折り畳みコンテナーが、一例として、特許文献１に開示されている。
【０００３】
箱型に組み立てられた折り畳みコンテナー同士を、段積みした際には、上に位置する折り畳みコンテナーの底部の短辺側の裏面に形成された脚部及び長辺側の裏面に形成された脚部が、下に位置する折り畳みコンテナーの短側壁の上端フランジに形成された外側保持突部間及び長側壁の上端フランジに形成された外側保持突部間に、且つ、外側保持突部に近接して位置するように構成されている。このように構成することにより、上に位置する折り畳みコンテナーが、下に位置する折り畳みコンテナーに対して、水平方向に移動するようなことがなく、安定した状態で、段積みされることになる。
【０００４】
【特許文献１】特開２００１−３３５０２９号公報
【発明の開示】
【発明が解決しようとする課題】
【０００５】
上述した従来の折り畳みコンテナーにおいては、長側壁及び短側壁の上端フランジに形成された一対の外側保持突部の相対する面、及び、底部の脚部の外側端面が、傾斜面として形成されているために、上に位置する折り畳みコンテナーの底部に形成された脚部が、下に位置する折り畳みコンテナーの上記の外側保持突部の傾斜面に乗り上げ、上に位置する折り畳みコンテナーが、移動し傾いたり、或いは、下に位置する折り畳みコンテナーから落下するという問題があった。
【０００６】
本発明の目的は、従来の折り畳みコンテナーが有する課題を解決することにある。
【課題を解決するための手段】
【０００７】
底部と、底部の一方の相対する土手部にヒンジ連結された相対する一方の側壁と、前記土手部より高さの高いもう一方の相対する土手部にヒンジ連結された相対するもう一方の側壁とを有する折り畳みコンテナーにおいて、第１には、前記高さの高い土手部に、下部嵌合台座部を形成するとともに、前記下部嵌合台座部には、前記高さの高い土手部にヒンジ連結された側壁の上端フランジに突設された嵌合突片が嵌合可能な嵌合空間を形成したものであり、第２には、前記高さの高い土手部に、前記下部嵌合台座部に形成された嵌合空間に嵌合可能な底部側嵌合突片を突設したものである。
【発明の効果】
【０００８】
高さの高い土手部に、下部嵌合台座部を形成するとともに、下部嵌合台座部には、高さの高い土手部にヒンジ連結された側壁の上端フランジに突設された嵌合突片が嵌合可能な嵌合空間を形成したので、箱型に組み立てられた状態の折り畳みコンテナーに、他の折り畳みコンテナーを段積みした際に、上に位置する折り畳みコンテナーの水平移動が抑制され、安定した状態で、折り畳みコンテナーを段積みすることができる。
【０００９】
高さの高い土手部に、下部嵌合台座部に形成された嵌合空間に嵌合可能な底部側嵌合突片を突設したので、折り畳まれた状態の折り畳みコンテナーに、他の折り畳みコンテナーを段積みした際に、上に位置する折り畳みコンテナーの水平移動が抑制され、安定した状態で、折り畳みコンテナーを段積みすることができる。
【実施例】
【００１０】
以下に、本発明の実施例について説明するが、本発明の趣旨を越えない限り、何ら、本実施例に限定されるものではない。
【００１１】
図１に示されているように、折り畳みコンテナーは、底部１と、底部１の長辺側土手部１ａにヒンジ連結された長側壁２と、底部１の短辺側土手部１ｂにヒンジ連結された短側壁３とから構成されており、本実施例においては、短辺側土手部１ｂの高さが、長辺側土手部１ａの高さより高く形成されている。そして、図１に示されている箱型に組みたてられた状態から、先ず最初に、略垂直状態の長側壁２を、底部１に重なるように倒し、次いで、略垂直状態の短側壁３を、底部１に重ねられた長側壁２の上に重ねることにより、折り畳むことができるように構成されている。
【００１２】
次に、図２及び図３を用いて、底部１について説明する。
【００１３】
上述したように、底部１には、底部１の長辺に沿って形成された長辺側土手部１ａと短辺に沿って形成された短辺側土手部１ｂとが形成されており、短辺側土手部１ｂの高さは、長辺側土手部１ａの高さより高く形成されている。また、短辺側土手部１ｂの上面１ｂ１の両端部に、短辺側上部台座部１ｃを形成することにより、短辺側土手部１ｂには、短辺側嵌合凹部１ｄが形成されている。更に、長辺側土手部１ａの下面１ａ１の両端部付近には、所定の間隔を置いて、一対の長辺側下部嵌合台座部１ｅが形成されており、更にまた、短辺側土手部１ｂの下面１ｂ２の中央部には、短辺側下部嵌合台座部１ｆが形成されている。そして、上記の短辺側上部台座部１ｃは、上面１ｃ１が平坦面として形成されているとともに、一対の短辺側上部台座部１ｃの相対する面１ｃ２は傾斜面として形成されている。
【００１４】
底部１の底板１ｇの裏面には、長辺側土手部１ａに略平行な相対する長辺壁１ｈ１と短辺側土手部１ｂに略平行な相対する短辺壁１ｈ２とからなる底部周壁１ｈが形成されている。なお、長辺側土手部１ａの下面１ａ１の両端部付近に形成された長辺側下部嵌合台座部１ｅは、底部周壁１ｈと略同じ高さに形成されている。
【００１５】
短辺側土手部１ｂの下面１ｂ２の中央部に形成された短辺側下部嵌合台座部１ｆは、短辺側土手部１ｂの外面１ｂ３と略面一な外面を有し、且つ、底部周壁１ｈを形成する短辺壁１ｈ２と略平行な横長の帯状前板１ｆ１と、帯状前板１ｆ１の両端から、短辺側土手部１ｂの下面１ｂ２及び帯状前板１ｆ１に垂直に、且つ、底部周壁１ｈの短辺壁１ｈ２に連接された相対する垂直側板１ｆ２と、該相対する一対の垂直側板１ｆ２の下端から、短辺側土手部１ｂの下面１ｂ２に向かって、互いに離反する方向に傾斜しているとともに、底部周壁１ｈの短辺壁１ｈ２に連接された傾斜側板１ｆ３と、垂直側板１ｆ２に略平行で、且つ、垂直側板１ｆ２間に形成されているとともに、帯状前板１ｆ１と底部周壁１ｈの短辺壁１ｈ２とを架橋する２枚の区画板１ｆ４とから形成されている。このように構成することにより、短辺側下部嵌合台座部１ｆの裏面の両端部には、帯状前板１ｆ１と垂直側板１ｆ２と区画板１ｆ４と底部周壁１ｈの短辺壁１ｈ２とにより囲まれた嵌合空間Ａ１が形成されている。
【００１６】
短辺側土手部１ｂの上面１ｂ１の両端部に形成されている一対の短辺側上部台座部１ｃの間には、所定の間隔を置いて、一対の板状の底部側嵌合突片１ｉが突設されている。本実施例においては、底部側嵌合突片１ｉは、短辺側土手部１ｂの内面１ｂ４付近に位置する短辺側土手部１ｂの上面１ｂ１に突設されており、底部側嵌合突片１ｉの内面１ｉ１と短辺側土手部１ｂの内面１ｂ４とは、略面一になるように構成されているとともに、底部側嵌合突片１ｉの上端１ｉ２は、短辺側上部台座部１ｃの上面１ｃ１を越えないように構成されている。底部側嵌合突片１ｉは、略横長の長方形に形成されており、一対の底部側嵌合突片１ｉの相対する側端１ｉ３は、短辺側土手部１ｂの上面１ｂ１に対して略垂直に形成されており、また、上記の側端１ｉ３と反対側の側端１ｉ４、換言すれば、短辺側上部台座部１ｃ側に位置する側端１ｉ４は、傾斜面として形成されている。本実施例には、所定の間隔を置いて、一対の底部側嵌合突片１ｉが形成されている例が示されている。
【００１７】
上述した短辺側土手部１ｂに形成された短辺側下部嵌合台座部１ｆの嵌合空間Ａ１を構成する垂直側板１ｆ２と区画板１ｆ４の間隔は、上述した短辺側土手部１ｂの上面１ｂ１に形成された底部側嵌合突片１ｉの長さと略同じに形成されており、折り畳まれた状態の折り畳みコンテナー同士を段積みした際には、上に位置する折り畳みコンテナーの嵌合空間Ａ１に、下に位置する折り畳みコンテナーの底部側嵌合突片１ｉが嵌合されるように構成されている。
【００１８】
図４に示されているように、底部１の長辺側土手部１ａにヒンジ連結されている長側壁２の上端フランジ２ａは、平坦に形成されており、また、長側壁２の両端部には、公知の縦長の長側壁側係合枠部２ｂが形成されており、長側壁側嵌合枠部２ｂには、適当数の嵌合突部２ｂ１が突設されている。
【００１９】
図５に示されているように、底部１の短辺側土手部１ｂにヒンジ連結されている短側壁３には、短側壁３の上端フランジ３ａの上面の両端部に、台座部３ｂを形成することにより、台座部３ｂ間には、短側壁側嵌合凹部３ｃが形成されている。また、台座部３ｂは、上面３ｂ１が平坦面として形成されているとともに、一対の台座部３ｂの相対する面３ｂ２は傾斜面として形成されている。更に、短側壁３の内面（折り畳みコンテナーが箱型に組み立てられた際に、折り畳みコンテナーの内部側に位置する面）３’側に位置する縁部で、且つ、台座部３ｂ間に位置する上端フランジ３ａの上面には、所定の間隔を置いて、板状の短側壁側嵌合突片３ｄが突設されており、短側壁側嵌合突片３ｄの内面３ｄ１と短側壁３の内面３’とは、略面一になるように構成されている。更に、短側壁側嵌合突片３ｄは、上述した底部側嵌合突片１ｉと同一形状に形成されている。即ち、短側壁側嵌合突片３ｄは、略横長の長方形に形成されており、一対の短側壁側嵌合突片３ｄの相対する側端３ｄ２は、上端フランジ３ａの上面に対して略垂直に形成されており、また、上記の側端３ｄ２と反対側の側端３ｄ３、換言すれば、台座部３ｂ側に位置する側端３ｄ３は、傾斜面として形成されている。なお、短側壁側嵌合突片３ｄの上端３ｄ４は、台座部３ｂの上面３ｂ１を越えないように構成されている。
【００２０】
上述した短側壁３の上端フランジ３ａに形成された短側壁側嵌合突片３ｄの長さは、上述した底部１の短辺側土手部１ｂに形成された短辺側下部嵌合台座部１ｆの嵌合空間Ａ１を構成する垂直側板１ｆ２と区画板１ｆ４の間隔と略同じに形成されており、上に位置する折り畳みコンテナーの底部１の短辺側下部嵌合台座部１ｆに形成された嵌合空間Ａ１に、下に位置する箱型に組み立てられた状態の短側壁３の上端フランジ３ａに形成された短側壁側嵌合突片３ｄが嵌合されるように構成されている。
【００２１】
また、短側壁３には、短側壁３に略垂直な公知の縦長の短側壁側係合枠部３ｅが形成されており、短側壁側係合枠部３ｅには、上記の長側壁側係合枠部２ｂに形成された嵌合突部２ｂ１が嵌合する嵌合凹部３ｅ１及び嵌合孔３ｅ２が形成されている。短側壁側係合枠部３ｅに形成されている一番上に位置する嵌合凹部３ｅ１には、長側壁側係合枠部２ｂに形成されている一番上に位置する嵌合突部２ｂ１が嵌合されるように構成されているが、嵌合凹部３ｅ１を、嵌合孔３ｅ２とすることもできる。更に、短側壁３の両端部には、自由端が、短側壁側係合枠部３ｅ側に位置する公知の弾性舌片３ｆが形成されており、弾性舌片３ｆには係止突部３ｆ１が形成されている。
【００２２】
図１に示されているように、短側壁３の下端フランジ３ｇには、下端フランジ３ｇの２箇所を上方に膨出させることにより、嵌合凹部３ｈが形成されている。折り畳みコンテナーを箱型に組み立てる際に、底部１の短辺側土手部１ｂの上面１ｂ１に形成された一対の底部側嵌合突片１ｉが、短側壁３の下端フランジ３ｇに形成された嵌合凹部３ｈが挿入され、短側壁３の垂直方向への回動の邪魔にならないように構成されている。
【００２３】
箱型に組み立てられた折り畳みコンテナー同士を段積みした際には、上に位置する折り畳みコンテナーの底部１に形成された短辺側下部嵌合台座部１ｆが、下に位置する折り畳みコンテナーの短側壁３の上端フランジ３ａに形成された台座部３ｂ間に位置する短側壁側嵌合凹部３ｃに嵌合されるとともに、下に位置する折り畳みコンテナーの上端フランジ３ａの上面に形成された短側壁側嵌合突片３ｄが、上に位置する折り畳みコンテナーの短辺側下部嵌合台座部１ｆに形成された嵌合空間Ａ１に嵌合されるように構成されている。従って、上に位置する折り畳みコンテナーが、下に位置する折り畳みコンテナーの短側壁３に沿って移動しようとした際には、上に位置する折り畳みコンテナーの嵌合空間Ａ１を構成する区画板１ｆ４付近に位置する、下に位置する折り畳みコンテナーの短側壁側嵌合突片３ｄの側端３ｄ２が、区画板１ｆ４に、線接触状態に当接するので、上に位置する折り畳みコンテナーが、下に位置する折り畳みコンテナーの短側壁３に沿って移動するようなことがない。また、上に位置する折り畳みコンテナーが、下に位置する折り畳みコンテナーの長側壁２に沿って移動しようとした際には、上に位置する折り畳みコンテナーの嵌合空間Ａ１を構成する底部周壁１ｈの短辺壁１ｈ２付近に位置する、下に位置する折り畳みコンテナーの短側壁側嵌合突片３ｄが、上記の短辺壁１ｈ２に、面接触状態で当接するので、上に位置する折り畳みコンテナーが、下に位置する折り畳みコンテナーの長側壁２に沿って移動するようなことがない。なお、上に位置する折り畳みコンテナーの底部１に形成された長辺側下部嵌合台座部１ｅは、下に位置する折り畳みコンテナーの長側壁２の上端フランジ２ａに載置されるように構成されている。
【００２４】
上述したように、箱型に組み立てられた折り畳みコンテナー同士を段積みした際に、上に位置する折り畳みコンテナーが、下に位置する折り畳みコンテナーに対して、水平移動するようなことがないので、従って、箱型に組み立てられた折り畳みコンテナー同士を、安定した状態に段積みすることができるように構成されている。
【００２５】
上述したように、箱型に組み立てられた折り畳みコンテナーを段積みした際には、上に位置する折り畳みコンテナーの嵌合空間Ａ１を構成する区画板１ｆ４付近には、区画板１ｆ４に接近して、下に位置する折り畳みコンテナーの上端フランジ３ａの上面に対して略垂直な短側壁側嵌合突片３ｄの側端３ｄ２が位置するように構成されているので、区画板１ｆ４を越えて、短側壁側嵌合突片３ｄが移動するようなことがなく、従って、上に位置する折り畳みコンテナーの下に位置する折り畳みコンテナーの短側壁３に沿った移動を、確実に抑制することができる。また、上に位置する折り畳みコンテナーの嵌合空間Ａ１を構成する底部周壁１ｈの短辺壁１ｈ２付近には、短辺壁１ｈ２に接近して、下に位置する折り畳みコンテナーの上端フランジ３ａに形成された短側壁側嵌合突片３ｄの内面３ｄ１が位置するように構成されているので、短辺壁１ｈ２を越えて、短側壁側嵌合突片３ｄが移動するようなことがなく、従って、上に位置する折り畳みコンテナーの下に位置する折り畳みコンテナーの長側壁２に沿った移動を、確実に抑制することができる。
【００２６】
折り畳まれた状態の折り畳みコンテナー同士を段積みした際には、上に位置する折り畳みコンテナーの底部１に形成された短辺側下部嵌合台座部１ｆが、下に位置する折り畳みコンテナーの底部１を構成する短辺側土手部１ｂの短辺側上部台座部１ｃ間に形成された短辺側嵌合凹部１ｄに嵌合されるように構成されているとともに、下に位置する折り畳みコンテナーの底部１の短辺側土手部１ｂの上面１ｂ１に形成された一対の底部側嵌合突片１ｉが、上に位置する折り畳みコンテナーの短辺側下部嵌合台座部１ｆに形成された嵌合空間Ａ１に嵌合されるように構成されている。従って、上に位置する折り畳みコンテナーが、下に位置する折り畳みコンテナーの底部１の短辺側土手部１ｂに沿って移動しようとした際には、上に位置する折り畳みコンテナーの嵌合空間Ａ１を構成する区画板１ｆ４付近に接近して位置する、下に位置する折り畳みコンテナーの底部側嵌合突片１ｉの短辺側土手部１ｂの上面１ｂ１に対して略垂直な側端１ｉ３が、区画板１ｆ４に、線接触状態で当接するので、上に位置する折り畳みコンテナーが、下に位置する折り畳みコンテナーの底部１の短辺側土手部１ｂに沿って移動するようなことがない。また、上に位置する折り畳みコンテナーが、下に位置する折り畳みコンテナーの底部１の長辺側土手部１ａに沿って移動しようとした際には、上に位置する折り畳みコンテナーの嵌合空間Ａ１を構成する底部周壁１ｈの短辺壁１ｈ２付近に接近して位置する、下に位置する折り畳みコンテナーの底部１の短辺側土手部１ｂの上面１ｂ１に形成された一対の底部側嵌合突片１ｉの内面１ｉ１が、短辺壁１ｈ２に、面接触状態で当接するので、上に位置する折り畳みコンテナーが、下に位置する折り畳みコンテナーの底部１の長辺側土手部１ａに沿って移動するようなことがない。
【００２７】
上述したように、折り畳まれた状態の折り畳みコンテナー同士を段積みした際に、上に位置する折り畳みコンテナーが、下に位置する折り畳みコンテナーの底部１の長辺側土手部１ａ及び短辺側土手部１ｂに沿って水平移動するようなことがないので、折り畳まれた状態の折り畳みコンテナー同士を、安定した状態で段積みすることができる。
【００２８】
上述したように、折り畳まれた状態の折り畳みコンテナー同士を段積みした際には、上に位置する折り畳みコンテナーの嵌合空間Ａ１を構成する区画板１ｆ４付近には、接近して、下に位置する折り畳みコンテナーの底部１の短辺側土手部１ｂの上面１ｂ１に対して略垂直な底部側嵌合突片１ｉの側端１ｉ３が位置するように構成されているので、区画板１ｆ４を越えて、底部側嵌合突片１ｉが移動するようなことがなく、従って、上に位置する折り畳みコンテナーの下に位置する折り畳みコンテナーの短辺側土手部１ｂに沿った移動を、確実に抑制することができる。また、上に位置する折り畳みコンテナーの嵌合空間Ａ１を構成する底部周壁１ｈの短辺壁１ｈ２付近には、短辺壁１ｈ２に接近して、下に位置する折り畳みコンテナーの底部１の短辺側土手部１ｂに形成された底部側嵌合突片１ｉの内面１ｉ１が位置するように構成されているので、短辺壁１ｈ２を越えて、底部側嵌合突片１ｉが移動するようなことがなく、従って、上に位置する折り畳みコンテナーの下に位置する折り畳みコンテナーの長辺側土手部１ａに沿った移動を、確実に抑制することができる。
【００２９】
なお、折り畳まれた状態の折り畳みコンテナーを、箱型に組み立てる際には、略水平状態の短側壁３を略垂直に立て、次いで、略水平状態の長側壁２を垂直に回動させることになるが、長側壁２の長側壁側係合枠部２ｂが、短側壁３の短側壁側係合枠部３ｅに接近した時点で、長側壁側係合枠部２ｂの嵌合突部２ｂ１が、短側壁側係合枠部３ｅの嵌合凹部３ｅ１或いは嵌合孔３ｅ２に嵌合するとともに、長側壁側係合枠部２ｂが、短側壁３に形成された弾性舌片３ｆの係止突部３ｆ１に当接し、弾性舌片３ｆを、弾性力に抗して、外側に湾曲変形させ、長側壁側係合枠部２ｂが、弾性舌片３ｆの係止突部３ｆ１を越えた時点で、弾性舌片３ｆが、その復元力により元の位置に戻るとともに、長側壁側係合枠部２ｂが、短側壁側係合枠部３ｅと弾性舌片３ｆの係止突部３ｆ１の間に保持されることになる。このようにして、折り畳まれた状態の折り畳みコンテナーが、箱型に組み立てられることになるが、箱型に組み立てられた状態で、長側壁３が、内側に回動しようとしても、長側壁側係合枠部２ｂが、短側壁３に形成された弾性舌片３ｆの係止突部３ｆ１に当接し、従って、長側壁２の内側への回動が阻止されることになる。
【００３０】
また、箱型に組み立てられた折り畳みコンテナーを、折り畳むには、公知のように、短側壁３に形成された弾性舌片３ｆを、外側に弾性変形させて、弾性舌片３ｆの係止突部３ｆ１を、長側壁２の長側壁側係合枠部２ｂから外し、その後、長側壁２を内側に回動させて、底部１に重ねる。次いで、短側壁３を内側に回動させて、底部１に重ねられている長側壁２に重ねることにより、折り畳むように構成されている。なお、底部１の長辺側土手部１ａには、折り畳みコンテナーを、上記のように、折り畳んだ際に、短側壁３の短側壁側係合枠部３ｅが嵌合される嵌合凹部１ａ２が形成されている。
【００３１】
上述した実施例には、底部１の短辺側土手部１ｂの上面１ｂ１に、所定の間隔を置いて、一対の底部側嵌合突片１ｉが形成されている例が示されているが、底部側嵌合突片１ｉを連続した１個の底部側嵌合突片１ｉとして構成することもできる。この場合には、底部１の短辺側土手部１ｂの下面１ｂ２に形成された短辺側下部嵌合台座部１ｆを構成する区画板１ｆ４を省略するとともに、１個の底部側嵌合突片１ｉの長さを、短辺側下部嵌合台座部１ｆを構成する一対の垂直側板１ｆ２間の間隔と略同じに構成し、１個の底部側嵌合突片１ｉが、一対の垂直側板１ｆ２と底部周壁１ｈを形成する短辺壁１ｈ２と帯状前板１ｆ１とにより囲まれた嵌合空間に嵌合されることになる。なお、このように、１個の底部側嵌合突片１ｉが形成された場合には、短側壁３の下端フランジ３ｇには、１個の底部側嵌合突片１ｉが挿入される１個の嵌合凹部３ｈが形成されることになる。
【００３２】
同様に、短側壁３の上端フランジ３ａの上面に、所定の間隔を置いて形成された２個の短側壁側嵌合突片３ｄを、連続した１枚の短側壁側嵌合突片３ｄとして構成することもできる。
【００３３】
底部側嵌合突片１ｉの短辺側上部台座部１ｃ側に位置する側端１ｉ４を、傾斜面として形成することにより、下に位置する折り畳まれた状態の折り畳みコンテナーに、他の折り畳みコンテナーを段積みする際に、上に位置する折り畳みコンテナーの底部１が、下に位置する折り畳みコンテナーの底部１の短辺側土手部１ｂに沿って多少ずれていても、上に位置する折り畳みコンテナーの短辺側下部嵌合台座部１ｆを構成する垂直側板１ｆ２が、下に位置する折り畳みコンテナーの底部側嵌合突片１ｉの傾斜面として形成されている側端１ｉ４に当接し案内されるので、上に位置する折り畳みコンテナーの短辺側下部嵌合台座部１ｆに形成された嵌合空間Ａ１に、下に位置する折り畳みコンテナーの底部側嵌合突片１ｉが、確実に且つ迅速に嵌合されることになり、従って、段積み作業の作業性が向上することになる。
【００３４】
同様に、短側壁３の上端フランジ３ａに突設されている短側壁側嵌合突片３ｄの台座部３ｂ側に位置する側端３ｄ３を、傾斜面として形成することにより、下に位置する箱型に組み立てられた状態の折り畳みコンテナーに、他の折り畳みコンテナーを段積みする際に、上に位置する折り畳みコンテナーの底部１が、下に位置する折り畳みコンテナーの底部１の短辺側土手部１ｂに沿って多少ずれていても、上に位置する折り畳みコンテナーの短辺側下部嵌合台座部１ｆを構成する垂直側板１ｆ２が、下に位置する折り畳みコンテナーの短側壁側嵌合突片３ｄの傾斜面として形成されている側端３ｄ３に当接し案内されるので、上に位置する折り畳みコンテナーの短辺側下部嵌合台座部１ｆに形成された嵌合空間Ａ１に、下に位置する折り畳みコンテナーの短側壁側嵌合突片３ｄが、確実に且つ迅速に嵌合されることになり、従って、段積み作業の作業性が向上することになる。
【００３５】
なお、底部１の長辺側土手部１ａの高さを、短辺側土手部１ｂの高さより高くして、折り畳まれた状態において、底部１の直ぐ上に、短側壁３を略水平に重ね、略水平状態の短側壁３の上に、長側壁２を重ねるように構成することもできる。この場合には、先ず最初に、短側壁３が、略垂直に立てられ、その後、長側壁２が略垂直に立てられて、折り畳みコンテナーが箱型に組み立てられることになる。この実施例においては、長側壁側係合枠部２ｂが、短側壁３に形成され、短側壁側係合枠部３ｅや弾性舌片３ｆが、長側壁２に形成されることになる。更に、短辺側土手部１ｂに形成されている短辺側下部嵌合台座部１ｆや短辺側嵌合凹部１ｄ等は、長辺側土手部１ａに形成され、長辺側土手部１ａに形成されている長辺側下部嵌合台座部１ｅや嵌合凹部１ａ２等は、短辺側土手部１ｂに形成されることになる。
【００３６】
図６には、上述した折り畳みコンテナーＣ１の上に、折り畳みコンテナーＣ１より大きな折り畳みコンテナーＣ２（以下、大型折り畳みコンテナーと称する。）を、段積みした状態が示されている。大型折り畳みコンテナーＣ２も、折り畳みコンテナーＣ１と同様に、底部１０と、底部１０の長辺側土手部１０ａにヒンジ連結された長側壁２０と、底部１０の短辺側土手部１０ｂにヒンジ連結された短側壁３０とから構成されている。大型折り畳みコンテナーＣ２の底部１０の長辺側土手部１０ａは、折り畳みコンテナーＣ１の底部１の短辺側土手部１ｂの略倍の長さに形成されており、また、大型折り畳みコンテナーＣ２の底部１０の短辺側土手部１０ｂは、折り畳みコンテナーＣ１の底部１の長辺側土手部１ａと略同じ長さに形成されている。そして、大型折り畳みコンテナーＣ２の長側壁２０の長さは、折り畳みコンテナーＣ１の短側壁３の略倍の長さに形成されており、また、大型折り畳みコンテナーＣ２の短側壁３０の長さは、折り畳みコンテナーＣ１の長側壁２と略同じ長さに形成されている。
【００３７】
次に、図７を用いて、上述した折り畳みコンテナーＣ１の底部１と略同一構成を有する大型折り畳みコンテナーＣ２の底部１０について説明する。
【００３８】
底部１０の長辺側土手部１０ａの下面１０ａ１には、長辺側土手部１０ａの中央部に形成された嵌合凹部１０ｊを挟んで、上述した折り畳みコンテナーＣ１に形成された短辺側下部嵌合台座部１ｆと実質的に同様の下部嵌合台座部１０ｆが形成されている。また、底部１０の底板１０ｇの裏面には、長辺側土手部１０ａに略平行な相対する長辺壁１０ｈ１と短辺側土手部１０ｂに略平行な相対する短辺壁１０ｈ２とからなる底部周壁１０ｈが形成されている。
【００３９】
下部嵌合台座部１０ｆは、上述した折り畳みコンテナーＣ１に形成された短辺側下部嵌合台座部１ｆと同様に、底部周壁１０ｈを形成する長辺壁１０ｈ１と略平行な横長の帯状前板１０ｆ１と、帯状前板１０ｆ１の両端から、長辺側土手部１０ａの下面１０ａ１及び帯状前板１０ｆ１に垂直に、且つ、底部周壁１０ｈの長辺壁１０ｈ１に連接された相対する垂直側板１０ｆ２と、該相対する一対の垂直側板１０ｆ２のうち、長辺側土手部１０ａの端部側に位置する垂直側板１０ｆ２の下端から、長辺側土手部１０ａの下面１０ａ１に向かって、長辺側土手部１０ａの端部側方向に傾斜しているとともに、底部周壁１０ｈの長辺壁１０ｈ１に連接された傾斜側板１０ｆ３と、垂直側板１０ｆ２に略平行で、且つ、垂直側板１０ｆ２間に形成されているとともに、帯状前板１０ｆ１と底部周壁１０ｈの長辺壁１０ｈ１とを架橋する２枚の区画板１０ｆ４とから形成されている。このように構成することにより、下部嵌合台座部１０ｆの裏面の両端部には、帯状前板１０ｆ１と垂直側板１０ｆ２と区画板１０ｆ４と底部周壁１０ｈの長辺壁１０ｈ１とにより囲まれた嵌合空間Ａ１０が形成されている。
【００４０】
図８に示されているように、箱型に組み立てられた折り畳みコンテナーＣ１の長側壁２が、互いに当接するように、２個の折り畳みコンテナーＣ１を配置し、その上方に、１個の大型折り畳みコンテナーＣ２を、大型折り畳みコンテナーＣ２の長側壁２０が、折り畳みコンテナーＣ１の並設された短側壁３の上方に位置するように配置した後、図６に示されているように、下に位置する２個の折り畳みコンテナーＣ１に、大型折り畳みコンテナーＣ２を段積みすると、大型折り畳みコンテナーＣ２の下部嵌合台座部１０ｆが、下に位置する折り畳みコンテナーＣ１の短側壁側嵌合凹部３ｃに嵌合されるとともに、下に位置する折り畳みコンテナーＣ１の上端フランジ３ａの上面に形成された短側壁側嵌合突片３ｄが、上に位置する大型折り畳みコンテナーＣ２の下部嵌合台座部１０ｆに形成された嵌合空間Ａ１０に嵌合されるように構成されている。従って、上述した箱型に組み立てられた折り畳みコンテナーＣ１の段積みと同様に、上に位置する大型折り畳みコンテナーＣ２が、下に位置する２個の折り畳みコンテナーＣ１に対して、水平移動するようなことがない。なお、下に位置する２個の折り畳みコンテナーＣ１の並設された短側壁３の上端フランジ３ａに形成された隣接する台座部３ｂは、上に位置する大型折り畳みコンテナーＣ２の底部１０に形成された嵌合凹部１０ｊに嵌合されるように構成されている。
【００４１】
また、折り畳まれた状態の折り畳みコンテナーＣ１の底部１の長辺側土手部１ａが、互いに当接するように、２個の折り畳みコンテナーＣ１を配置し、その上方に、１個の大型折り畳みコンテナーＣ２を、大型折り畳みコンテナーＣ２の底部１０の長辺側土手部１０ａが、折り畳みコンテナーＣ１の並設された短辺側土手部１ｂの上に位置するように段積みした際には、上に位置する大型折り畳みコンテナーＣ２の底部１０の下部嵌合台座部１０ｆに形成されている嵌合空間Ａ１０に、下に位置する折り畳みコンテナーＣ１の底部１の短辺側土手部１ｂに形成された底部側嵌合突片１ｉが嵌合されるように構成されている。従って、上に位置する大型折り畳みコンテナーＣ２が、下に位置する２個の折り畳みコンテナーＣ１に対して、水平移動するようなことがない。
【００４２】
本実施例においては、折り畳みコンテナーＣ１の長側壁２の上端フランジ２ａは、平坦に形成されており、従来の折り畳みコンテナーの長側壁のように、上端フランジ２ａの両端部には、外側保持突部が形成されていないので、大型折り畳みコンテナーＣ２の底部１０に、下に位置する折り畳みコンテナーの長側壁に形成された外側保持突部が嵌合するような凹部を形成する必要がないので、大型折り畳みコンテナーＣ２の底部１０の剛性や強度が向上することになる。
【図面の簡単な説明】
【００４３】
【図１】図１は、箱型に組み立てられた状態の本発明の折り畳みコンテナーの斜視図である。
【図２】図２は、本発明の折り畳みコンテナーを構成する底部の上方からの斜視図である。
【図３】図３は、本発明の折り畳みコンテナーを構成する底部の裏面からの斜視図である。
【図４】図４は、本発明の折り畳みコンテナーを構成する長側壁の部分斜視図である。
【図５】図５は、本発明の折り畳みコンテナーを構成する短側壁の部分斜視図である。
【図６】図６は、本発明の折り畳みコンテナーの上に、大型折り畳みコンテナーが段積みされた状態の斜視図である。
【図７】図７は、図６に示されている大型折り畳みコンテナーの裏面からの斜視図である。
【図８】図８は、本発明の折り畳みコンテナーの上方に、大型折り畳みコンテナーが配置された状態の斜視図である。
【符号の説明】
【００４４】
１・・・・・・・・・・・・・・・底部
１ｄ・・・・・・・・・・・・・・短辺側嵌合凹部
１ｆ・・・・・・・・・・・・・・短辺側下部嵌合台座部
１ｈ・・・・・・・・・・・・・・底部周壁
１ｉ・・・・・・・・・・・・・・底部側嵌合突片
２・・・・・・・・・・・・・・・長側壁
３・・・・・・・・・・・・・・・短側壁
３ｄ・・・・・・・・・・・・・・短側壁側嵌合突片
【図１】
2006213383.tif 000003
【図２】
2006213383.tif 000004
【図３】
2006213383.tif 000005
【図４】
2006213383.tif 000006
【図５】
2006213383.tif 000007
【図６】
2006213383.tif 000008
【図７】
2006213383.tif 000009
【図８】
2006213383.tif 000010